(57)【要約】【課題】被洗物に吸着しやすく、より高い抗菌効果を発揮できる衣料用液体洗浄剤組成物。【解決手段】下記（Ａ）成分、（Ｂ）成分及び（Ｃ）成分を含有する、衣料用液体洗浄剤組成物。（Ａ）成分：下記（ａ１）成分及び（ａ２）成分からなる群より選ばれる１種以上。（ａ１）成分：カチオン化セルロース。（ａ２）成分：ジアリル４級アンモニウム塩重合物及びジアリル４級アンモニウム塩−アクリルアミド共重合物からなる群より選ばれる１種以上。（Ｂ）成分：フェノール構造を有する抗菌剤。（Ｃ）成分：アニオン界面活性剤。【選択図】なし【特許請求の範囲】
【請求項１】
下記（Ａ）成分、（Ｂ）成分及び（Ｃ）成分を含有する、衣料用液体洗浄剤組成物。
（Ａ）成分：下記（ａ１）成分及び（ａ２）成分からなる群より選ばれる１種以上。
（ａ１）成分：カチオン化セルロース。
（ａ２）成分：ジアリル４級アンモニウム塩重合物及びジアリル４級アンモニウム塩−アクリルアミド共重合物からなる群より選ばれる１種以上。
（Ｂ）成分：フェノール構造を有する抗菌剤。
（Ｃ）成分：アニオン界面活性剤。
【請求項２】
前記（Ｂ）成分が、４，４’−ジクロロ−２−ヒドロキシジフェニルエーテルである、請求項１に記載の衣料用液体洗浄剤組成物。
【発明の詳細な説明】
【技術分野】
【０００１】
本発明は、衣料用液体洗浄剤組成物に関する。
【背景技術】
【０００２】
近年、衛生意識の高まりから、カチオン界面活性剤やカチオン性ポリマー等の抗菌剤を含む液体洗浄剤が多く上市されている。カチオン界面活性剤やカチオン性ポリマーは、綿布への吸着が良く、抗菌性を発揮する。しかし、カチオン界面活性剤やカチオン性ポリマーは、アニオン界面活性剤の存在下では、抗菌性が著しく低下する。アニオン界面活性剤を含まず、ノニオン界面活性剤のみにすると、再汚染防止性や液体安定性が低下する。再汚染防止性とは、洗濯中に被洗物（繊維製品等）から脱離した汚れが、再び被洗物に付着するのを防止する性質をいう。液体安定性とは、一定期間保存時に固化、析出、白濁及び分離が生じにくい性質をいう。
【０００３】
こうした問題に対し、アニオン界面活性剤の存在下において高い抗菌効果（抗菌性）を有する抗菌剤の検討が進められてきた。特許文献１には、アニオン界面活性剤とノニオン系抗菌剤とを含有する液体洗浄剤組成物が提案されている。特許文献１の液体洗浄剤組成物は、所望の洗浄性能と抗菌効果の双方の実現が図られている。
【先行技術文献】
【特許文献】
【０００４】
【特許文献１】特表２０１７−５１４９６７号公報
【発明の概要】
【発明が解決しようとする課題】
【０００５】
しかしながら、ノニオン系抗菌剤は、カチオン界面活性剤やカチオン性ポリマーと比較すると、被洗物に吸着しにくい。加えて、ノニオン系抗菌剤は、高濃度の界面活性剤の存在下では、界面活性剤中に取り込まれ、抗菌効果を発揮しにくくなる。
【０００６】
本発明は、上記事情に鑑みてなされたものであり、被洗物に吸着しやすく、より高い抗菌効果を発揮できる衣料用液体洗浄剤組成物を目的とする。
【課題を解決するための手段】
【０００７】
鋭意検討を重ねた結果、本発明者等は、４級窒素を含有するポリマーと特定の抗菌剤とを組み合わせることで、上記課題を解決できることを見出した。
さらに、本発明者等は、４級窒素を含有するポリマーと特定の抗菌剤とを組み合わせた衣料用液体洗浄剤組成物は、液体安定性に優れることを見出した。
即ち、本発明は、以下の態様を有する。
【０００８】
［１］下記（Ａ）成分、（Ｂ）成分及び（Ｃ）成分を含有する、衣料用液体洗浄剤組成物。
（Ａ）成分：下記（ａ１）成分及び（ａ２）成分からなる群より選ばれる１種以上。
（ａ１）成分：カチオン化セルロース。
（ａ２）成分：ジアリル４級アンモニウム塩重合物及びジアリル４級アンモニウム塩−アクリルアミド共重合物からなる群より選ばれる１種以上。
（Ｂ）成分：フェノール構造を有する抗菌剤。
（Ｃ）成分：アニオン界面活性剤。
［２］前記（Ｂ）成分が、４，４’−ジクロロ−２−ヒドロキシジフェニルエーテルである、［１］に記載の衣料用液体洗浄剤組成物。
［３］前記（Ａ）成分の含有量が、総質量に対して、０．１質量％以上５質量％以下である、［１］又は［２］に記載の衣料用液体洗浄剤組成物。
［４］前記（Ｂ）成分の含有量が、総質量に対して、０．０１質量％以上３質量％以下である、［１］〜［３］のいずれかに記載の衣料用液体洗浄剤組成物。
［５］前記（Ａ）成分／前記（Ｃ）成分で表される質量比が０．００２以上２以下である、［１］〜［４］のいずれかに記載の衣料用液体洗浄剤組成物。
［６］（Ｄ）成分：水混和性有機溶剤、をさらに含有する、［１］〜［５］のいずれかに記載の衣料用液体洗浄剤組成物。
【発明の効果】
【０００９】
本発明の衣料用液体洗浄剤組成物によれば、被洗物に吸着しやすく、より高い抗菌効果を発揮できる。
【発明を実施するための形態】
【００１０】
［衣料用液体洗浄剤組成物］
本発明の衣料用液体洗浄剤組成物（以下、単に液体洗浄剤ともいう）は、（Ａ）成分、（Ｂ）成分、及び（Ｃ）成分を含有する組成物である。
【００１１】
＜（Ａ）成分＞
（Ａ）成分は、下記（ａ１）成分及び（ａ２）成分からなる群より選ばれる１種以上である。（Ａ）成分は、４級窒素を含有する。本発明の液体洗浄剤は、（Ａ）成分を含有することで、（Ｂ）成分を被洗物に吸着しやすくできる。
（ａ１）成分：カチオン化セルロース。
（ａ２）成分：ジアリル４級アンモニウム塩重合物及びジアリル４級アンモニウム塩−アクリルアミド共重合物からなる群より選ばれる１種以上。
【００１２】
（（ａ１）成分）
（ａ１）成分は、カチオン化セルロースである。（ａ１）成分は、下記一般式（Ｉ）で表され、置換型の無水グルコース単位を繰り返し単位とするものである。
（ａ１）成分は、８〜２４個の炭素原子を有するアルキル基もしくはアリールアルキル基を含むノニオン性又はカチオン性疎水性置換基及び下記（ＩＩ）式のカチオン性置換基により置換されている。（ａ１）成分は、無水グルコース単位１モル当たり、上記の置換基を平均０．０００３〜０．０８モル有する。
【００１３】
【化１】
2020041074.tif 000002
【００１４】
（Ｉ）式中、Ｒ１〜Ｒ３はそれぞれ独立に、Ｈ、ＣＨ３、炭素数８〜２４のアルキル基、炭素数８〜２４のアルキル基もしくは炭素数８〜２４のアリールアルキル基を含むノニオン性の置換基、炭素数８〜２４のアルキル基もしくは炭素数８〜２４のアリールアルキル基を含むカチオン性の置換基、又は下記（ＩＩ）式で表される基である。ｄは、繰り返し数を表す４０００〜１００００の数である。
Ｒ１〜Ｒ３がアルキル基又はアルキルもしくはアリールアルキル基を含む置換基である場合、これらの置換基のアルキル基は、直鎖でもよく分岐鎖でもよい。
【００１５】
【化２】
2020041074.tif 000003
【００１６】
（ＩＩ）式中、ｐは０〜１０であり、Ｒ４は、Ｈ、ＣＨ３、炭素数８〜２４のアルキル基、下記（ＩＩＩ）式で表される基、又はこれら以外の炭素数８〜２４のアルキル基を含む置換基である。
Ｒ４がアルキル基又はアルキル基を含む置換基である場合、これらの置換基のアルキル基は、直鎖でもよく分岐鎖でもよい。
【００１７】
【化３】
2020041074.tif 000004
【００１８】
（ＩＩＩ）式中、Ｒ５及びＲ６は、それぞれ独立にＣＨ３、Ｃ２Ｈ５、Ｒ７は、Ｈ、ＣＨ３、炭素数８〜２４のアルキル基又は炭素数８〜２４のアリールアルキル基、Ｒ８はＣＨ２ＣＨＯＨＣＨ２又はＣＨ２ＣＨ２である。Ｚは水溶性の陰イオンである。
Ｚとしては、塩化物イオン、臭化物イオン等が挙げられる。
【００１９】
Ｒ１は、（ＩＩ）式で表される基が好ましい。
Ｒ１が（ＩＩ）式で表される基である場合、ｐは０〜３が好ましい。
また、Ｒ４としては（ＩＩＩ）式で表される基が好ましい。この場合、Ｒ５〜Ｒ７はＣＨ３が好ましく、Ｒ８はＣＨ２ＣＨＯＨＣＨ２が好ましく、Ｚは塩化物イオン、臭化物イオンが好ましい。
【００２０】
Ｒ１の平均置換度は、無水ヒドログルコース単位１モル当たり、０．０００３モル以上が好ましく、０．０００５モル以上がより好ましい。上限値としては、無水ヒドログルコース単位１モル当たり０．０８モル以下が好ましく、０．０７モル以下がより好ましく、０．０５モル以下がさらに好ましい。
【００２１】
Ｒ２は、（ＩＩ）式で表される基が好ましい。
Ｒ２が（ＩＩ）式で表される基である場合、ｐは０〜３が好ましい。
また、Ｒ４としては（ＩＩＩ）式で表される基が好ましい。この場合、Ｒ５及びＲ６は、ＣＨ３が好ましく、Ｒ７は、ＣｑＨ（２ｑ＋１）で、ｑは８〜１４が好ましく、１０〜１８がより好ましく、１２が特に好ましい。Ｒ８はＣＨ２ＣＨＯＨＣＨ２が好ましい。Ｚは塩化物イオン、臭化物イオンが好ましい。
【００２２】
Ｒ３は、Ｈが好ましい。
【００２３】
Ｒ２のカチオン性置換基の平均置換度は、一般的に、無水グルコース単位１モル当たり、０．０２〜０．９モルが好ましく、０．０５〜０．８モルがより好ましく、０．１〜０．６モルがさらに好ましく、０．１５〜０．３５モルが特に好ましい。
【００２４】
（ａ１）成分のカチオン化度は、０．２〜３．５質量％が好ましく、０．５〜３．０質量％がより好ましく、１．０〜２．６質量％がさらに好ましく、２．４〜２．６質量％が特に好ましい。上記範囲内であれば、（ａ１）成分と（Ｃ）成分とのコンプレックスを形成しやすくなり、（Ｂ）成分を被洗物に吸着する作用を高められる。
「カチオン化度」とは、分子中に占める、カチオン化剤に由来する窒素原子の含有率（質量％）を意味し、グルコース環単位当たりの窒素原子の割合を表す。
（ａ１）成分のカチオン化度は、特定された化学構造に基づいて計算される。
（ａ１）成分における任意のモノマーの比率が不明な場合等、（ａ１）成分の化学構造が特定されない場合には、（ａ１）成分のカチオン化度は、実験的に求められた窒素含有量から算出される。（ａ１）成分中の窒素含有量の測定方法としては、例えば、ケルダール法等が挙げられる。
【００２５】
液体洗浄剤の粘度を適切にする観点から、２５℃における（ａ１）成分の１質量％水溶液の粘度は、１００００ｍＰａ・ｓ以下が好ましく、３０００ｍＰａ・ｓ以下がより好ましく１０００ｍＰａ・ｓ以下が特に好ましい。なお、１質量％水溶液の粘度が１００００ｍＰａ・ｓを超える場合には、０．５質量％水溶液の粘度を測定する。２５℃における０．５質量％水溶液の粘度は、５０００ｍＰａ・ｓ以下が好ましく、２０００ｍＰａ・ｓ以下がより好ましい。
粘度は、２５℃の測定対象（（ａ１）成分の水溶液）をＢ型粘度計（ＴＯＫＩＭＥＣ社製）で測定した値である。
粘度の測定条件は、以下の通りである。
＜測定条件＞
［ローター］
測定対象の粘度に対応するローター番号は、下記の通りである。
・測定対象の粘度が５００ｍＰａ・ｓ未満の場合：ローター番号Ｎｏ．２。
・測定対象の粘度が５００ｍＰａ・ｓ以上２０００ｍＰａ・ｓの場合：ローター番号Ｎｏ．３。
・測定対象の粘度が２０００ｍＰａ・ｓ以上の場合：ローター番号Ｎｏ．４。
［ローター回転数］
６０ｒｐｍ。
［数値の読み取り］
ローターの回転の開始から６０秒後。
【００２６】
（ａ１）成分としては、例えば、レオガードＬＰ、ＧＰ、ＭＧＰ、ＫＧＰ、ＭＬＰ（いずれも、商品名。ライオン（株）製。）；ＵＣＡＲＥ  ＬＲ−３０Ｍ、ＪＲ−４００、ＪＲ−３０Ｍ、ＬＫ；ＳｏｆｔＣＡＴ  ＳＸ−１３００Ｘ、ＳＸ−１３００Ｈ、ＳＸ−４００Ｘ、ＳＸ−４００Ｈ、ＳＬ−３０Ｈ、ＳＬ−６０Ｈ、ＳＬ−１００Ｈ、ＳＫ−Ｌ、ＳＫ−Ｍ、ＳＫ−Ｈ、ＳＫ−ＭＨ（いずれも、商品名。ダウケミカル日本（株）製）；カチナールＨＣ−１００（商品名、東邦化学工業（株）製）等、市販のものが挙げられる。中でも、好ましくはＳｏｆｔＣＡＴ  ＳＸ−１３００Ｘ、ＳＸ−１３００Ｈ、ＳＸ−４００Ｘ、ＳＸ−４００Ｈ、ＳＬ−３０Ｈ、ＳＬ−６０Ｈ、ＳＬ−１００Ｈ、ＳＫ−Ｌ、ＳＫ−Ｍ、ＳＫ−Ｈ、ＳＫ−ＭＨであり、より好ましくは、ＳＸ−４００Ｘ、ＳＸ−４００Ｈである。
【００２７】
（（ａ２）成分）
（ａ２）成分は、ジアリル４級アンモニウム塩重合物及びジアリル４級アンモニウム塩−アクリルアミド共重合物からなる群より選ばれる１種以上である。本発明の液体洗浄剤は、（ａ２）成分を含有することで、（Ｂ）成分を被洗物に吸着する作用を高められる。
【００２８】
ジアリル４級アンモニウム塩重合物は、ジアリル４級アンモニウム塩の単独重合物である。ジアリル４級アンモニウム塩−アクリルアミド共重合物は、ジアリル４級アンモニウム塩とアクリルアミドとの共重合物である。ジアリル４級アンモニウム塩とアクリルアミドとは、ブロック重合していてもよく、ランダム重合していてもよく、グラフト重合していてもよい。（ａ２）成分としては、下記一般式（ＩＶ）又は（Ｖ）で表されるジアリル４級アンモニウム塩−アクリルアミド共重合物が好ましい。
【００２９】
【化４】
2020041074.tif 000005
【００３０】
【化５】
2020041074.tif 000006
【００３１】
式（ＩＶ）及び（Ｖ）中、Ｒ３３及びＲ３４はそれぞれ独立に、水素原子、炭素数１〜１８のアルキル基、フェニル基、アリール基、ヒドロキシアルキル基、アミドアルキル基、シアノアルキル基、アルコキシアルキル基、又はカルボアルコキシアルキル基、Ｒ３５、Ｒ３６、Ｒ３７及びＲ３８はそれぞれ独立に、水素原子、炭素数１〜３のアルキル基、又はフェニル基、Ｘ４は陰イオン（塩化物イオン、臭化物イオン、ヨウ化物イオン、硫酸イオン、スルホン酸イオン、メチル硫酸イオン、硝酸イオン等）、ｇは１〜５０の整数、ｈは０〜５０の整数、ｉは１５０〜８０００の整数を示す。
【００３２】
式（ＩＶ）及び（Ｖ）中、Ｒ３３及びＲ３４としては、炭素数１〜３のアルキル基が好ましい。
式（ＩＶ）及び（Ｖ）中、Ｒ３５、Ｒ３６、Ｒ３７及びＲ３８としては、水素原子が好ましい。
式（ＩＶ）及び（Ｖ）中、Ｘ４としては、ハロゲン化物イオンが好ましい。
ジアリル４級アンモニウム塩−アクリルアミド共重合物の質量平均分子量は、３万〜２００万が好ましく、１００万〜２００万がより好ましい。
なお、本明細書における質量平均分子量は、ポリエチレングリコールを標準物質として、ゲル浸透クロマトグラフィー（ＧＰＣ）により求めた値を意味する。
式（ＩＶ）又は（Ｖ）で表されるジアリル４級アンモニウム塩−アクリルアミド共重合物の市販品としては、例えば、商品名「マーコート１００」、商品名「マーコート５５０」、「Ｎｏｖｅｒｉｔｅ３００」、「Ｎｏｖｅｒｉｔｅ３０２」（いずれもルーブリゾール（Ｌｕｂｒｉｚｏｌ）社製）等が挙げられる。
【００３３】
（ａ２）成分は、下記一般式（ＶＩ）で表されるメタクリロイルオキシエチル４級アンモニウム塩−アクリルアミド共重合物であってもよい。メタクリロイルオキシエチル４級アンモニウム塩−アクリルアミド共重合物は、メタクリロイルオキシエチル４級アンモニウム塩とアクリルアミドとの共重合物である。メタクリロイルオキシエチル４級アンモニウム塩とアクリルアミドとは、ブロック重合していてもよく、ランダム重合していてもよく、グラフト重合していてもよい。
【００３４】
【化６】
2020041074.tif 000007
【００３５】
式（ＶＩ）中、Ｒ４１、Ｒ４２及びＲ４３はそれぞれ独立に、水素原子、炭素数１〜１８のアルキル基、フェニル基、アリール基、ヒドロキシアルキル基、アミドアルキル基、シアノアルキル基、アルコキシアルキル基、又はカルボアルコキシアルキル基、Ｒ４４及びＲ４５はそれぞれ独立に、水素原子、炭素数１〜３のアルキル基、又はフェニル基、Ｘは陰イオン（塩化物イオン、臭化物イオン、ヨウ化物イオン、硫酸イオン、スルホン酸イオン、メチル硫酸イオン、硝酸イオン等）、ｊは５〜２０の整数、ｋは８０〜９５の整数を示す。
【００３６】
メタクリロイルオキシエチル４級アンモニウム塩−アクリルアミド共重合物の質量平均分子量は、１００万〜１０００万が好ましく、２００万〜６００万がより好ましい。
メタクリロイルオキシエチル４級アンモニウム塩−アクリルアミド共重合物の市販品としては、例えば、商品名「マーコート５」（Ｌｕｂｒｉｚｏｌ社製）等が挙げられる。
【００３７】
（ａ２）成分は、ジアリル４級アンモニウム塩−アクリル酸共重合物及びアクリル酸−ジアリル４級アンモニウム塩−アクリルアミド共重合物からなる群より選ばれる１種以上であってもよい。
ジアリル４級アンモニウム塩−アクリル酸共重合物は、ジアリル４級アンモニウム塩とアクリル酸との共重合物である。ジアリル４級アンモニウム塩とアクリル酸とは、ブロック重合していてもよく、ランダム重合していてもよく、グラフト重合していてもよい。アクリル酸−ジアリル４級アンモニウム塩−アクリルアミド共重合物は、アクリル酸とジアリル４級アンモニウム塩とアクリルアミドとの共重合物である。アクリル酸とジアリル４級アンモニウム塩とアクリルアミドとは、ブロック重合していてもよく、ランダム重合していてもよく、グラフト重合していてもよい。
ジアリル４級アンモニウム塩−アクリル酸共重合物及びアクリル酸−ジアリル４級アンモニウム塩−アクリルアミド共重合物からなる群より選ばれる１種以上としては、下記一般式（ＶＩＩ）で表されるアクリル酸−ジアリル４級アンモニウム塩−アクリルアミド共重合物が好ましい。
【００３８】
【化７】
2020041074.tif 000008
【００３９】
式（ＶＩＩ）中、Ｒ５１及びＲ５２はそれぞれ独立に、水素原子、炭素数１〜１８のアルキル基、フェニル基、アリール基、ヒドロキシアルキル基、アミドアルキル基、シアノアルキル基、アルコキシアルキル基、又はカルボアルコキシアルキル基、Ｒ５３、Ｒ５４、Ｒ５５及びＲ５６はそれぞれ独立に、水素原子、炭素数１〜３のアルキル基、又はフェニル基、ｑは５〜４０の整数、ｒは１５〜５０の整数、ｓは０〜８０の整数を示す。
【００４０】
ジアリル４級アンモニウム塩−アクリル酸共重合物の質量平均分子量は、６０万〜３００万が好ましく、１００万〜２００万がより好ましい。アクリル酸−ジアリル４級アンモニウム塩−アクリルアミド共重合物の質量平均分子量は、ジアリル４級アンモニウム塩−アクリル酸共重合物の質量平均分子量と同様である。
ジアリル４級アンモニウム塩−アクリル酸共重合物及びアクリル酸−ジアリル４級アンモニウム塩−アクリルアミド共重合物からなる群より選ばれる１種以上の市販品としては、例えば、商品名「マーコート２８０」や商品名「マーコートプラス３３３０」（いずれもＬｕｂｒｉｚｏｌ社製）等が挙げられる。
【００４１】
（ａ２）成分は、アクリル酸−メタクリルアミドプロピル４級アンモニウム塩−アクリル酸アルキルエステル共重合物であってもよい。アクリル酸−メタクリルアミドプロピル４級アンモニウム塩−アクリル酸アルキルエステル共重合物は、アクリル酸とメタクリルアミドプロピル４級アンモニウム塩とアクリル酸アルキルエステルとの共重合物である。アクリル酸とメタクリルアミドプロピル４級アンモニウム塩とアクリル酸アルキルエステルとは、ブロック重合していてもよく、ランダム重合していてもよく、グラフト重合していてもよい。アクリル酸−メタクリルアミドプロピル４級アンモニウム塩−アクリル酸アルキルエステル共重合物としては、下記一般式（ＶＩＩＩ）で表されるものが好ましい。
【００４２】
【化８】
2020041074.tif 000009
【００４３】
式（ＶＩＩＩ）中、Ｒ６１、Ｒ６２及びＲ６３はそれぞれ独立に、水素原子、炭素数１〜１８のアルキル基、フェニル基、アリール基、ヒドロキシアルキル基、アミドアルキル基、シアノアルキル基、アルコキシアルキル基、又はカルボアルコキシアルキル基、ｔは３０〜６０の整数、ｕは３０〜６０の整数、ｖは５〜２０の整数を示す。
【００４４】
アクリル酸−メタクリルアミドプロピル４級アンモニウム塩−アクリル酸アルキルエステル共重合物の質量平均分子量は、６０万〜３００万が好ましく、１００万〜２００万がより好ましい。
アクリル酸−メタクリルアミドプロピル４級アンモニウム塩−アクリル酸アルキルエステル共重合物の市販品としては、例えば、商品名「マーコート２００１」（Ｌｕｂｒｉｚｏｌ社製）等が挙げられる。
【００４５】
これらの（Ａ）成分は、１種を単独で用いてもよく、２種以上を併用してもよい。
（Ａ）成分の含有量は、液体洗浄剤の総質量に対して、０．１質量％以上５質量％以下が好ましく、０．１質量％以上１．２質量％以下がより好ましく、０．１質量％以上０．６質量％以下がさらに好ましい。（Ａ）成分の含有量が上記下限値以上であると、（Ｂ）成分を被洗物に吸着しやすくできる。（Ａ）成分の含有量が上記上限値以下であると、再汚染防止性を向上しやすい。
【００４６】
＜（Ｂ）成分＞
（Ｂ）成分は、フェノール構造を有する抗菌剤である。本発明の液体洗浄剤は、（Ｂ）成分を含有することで、洗濯後の繊維製品等に抗菌性を付与できる。また、（Ｂ）成分と（Ａ）成分とを組み合わせることで、液体洗浄剤は、より高い抗菌効果を発揮しやすい。フェノール構造を有する化合物は、液体洗浄剤中においてアニオン界面活性剤の存在下でも、アニオン界面活性剤による洗浄性を損なわずに抗菌効果を発揮できる。
本明細書において、フェノール構造とは、芳香族炭化水素核の水素原子の１以上がヒドロキシ基で置換された構造を有することを意味する。
【００４７】
（Ｂ）成分としては、抗菌剤として公知のフェノール誘導体又はジフェニル化合物を好適に用いることができる。（Ｂ）成分としては、５−クロロ−２−（２，４−ジクロロフェノキシ）フェノール（慣用名：トリクロサン）、４，４’−ジクロロ−２−ヒドロキシジフェニルエーテル（慣用名：ダイクロサン）、ｏ−ベンジル−ｐ−クロロフェノール（慣用名：クロロフェン）、イソプロピルメチルフェノール、パラクロロメタキシレノール等が挙げられる。
【００４８】
（Ｂ）成分は、下記一般式（ＩＸ）で表される化合物（以下、化合物（ＩＸ）ともいう。）を含むことが好ましい。また、（Ｂ）成分は、下記一般式（ＩＸ）において、Ｒ２１が酸素原子で、αが１である２−ヒドロキシジフェニル化合物（以下、（ｂ１）成分ともいう。）を含むことがより好ましい。（ｂ１）成分は、疎水性繊維に吸着しやすく、本発明を適用することによる効果が大きい点で好ましい。
【００４９】
【化９】
2020041074.tif 000010
【００５０】
式（ＩＸ）中、Ｒ２１は酸素原子又は炭素数１〜４のアルキレン基であり、Ｙ１は塩素原子又は臭素原子であり、Ｙ２はＳＯ２Ｈ、ＮＯ２、又は炭素数１〜４のアルキル基であり、α、β、γはそれぞれ独立に０又は１〜３の整数であり、δは０又は１であり、ｍは０又は１であり、ｎは０又は１である。
【００５１】
化合物（ＩＸ）としては、Ｒ２１が酸素原子又はメチレン基であり、Ｙ１が塩素原子又は臭素原子であり、ｍが０であり、ｎが０又は１であり、αが１、βが０、１又は２であり、γが０、１又は２であり、かつδが０である化合物が好ましい。
化合物（ＩＸ）のより好適な具体例としては、Ｒ２１が酸素原子、αが１であり、Ｙ１が塩素原子、β又はγの一方が１で他方が０であり、δが０、ｍが０、ｎが０であるモノクロロヒドロキシジフェニルエーテル；Ｒ２１が酸素原子、αが１であり、Ｙ１が塩素原子、βが１、γが１、δが０、ｍが０、ｎが０であるジクロロヒドロキシジフェニルエーテル；Ｒ２１が酸素原子、αが１であり、Ｙ１が塩素原子、β又はγの一方が１で他方が２であり、δが０、ｍが０、ｎが０であるトリクロロヒドロキシジフェニルエーテル；Ｒ２１がメチレン基、αが１であり、Ｙ１が塩素原子、βが０、γが１、δが０、ｍが０、ｎが０であるベンジルクロロフェノール等が挙げられる。
【００５２】
化合物（ＩＸ）の特に好適な具体例としては、５−クロロ−２−（２，４−ジクロロフェノキシ）フェノール（慣用名：トリクロサン）、４，４’−ジクロロ−２−ヒドロキシジフェニルエーテル（慣用名：ダイクロサン）、ｏ−ベンジル−ｐ−クロロフェノール（慣用名：クロロフェン）等が挙げられる。
化合物（ＩＸ）は、１種を単独で用いてもよく、２種以上を併用してもよい。
化合物（ＩＸ）の含有量は、（Ｂ）成分の総質量に対して、６０質量％以上が好ましく、８０質量％以上がより好ましく、９０質量％以上がさらに好ましく、１００質量％でもよい。化合物（ＩＸ）の含有量が上記下限値以上であると、液体洗浄剤は、より高い抗菌効果を発揮しやすい。
【００５３】
（Ｂ）成分は、１種を単独で用いてもよく、２種以上を併用してもよい。
（Ｂ）成分の含有量は、液体洗浄剤の総質量に対して、０．０１質量％以上３質量％以下が好ましく、０．０５質量％以上２質量％以下がより好ましく、０．１質量％以上０．５質量％以下がさらに好ましい。（Ｂ）成分の含有量が上記下限値以上であると、衣類等の繊維製品における細菌類の移動を抑制しやすく、液体洗浄剤は、より高い抗菌効果を発揮しやすい。（Ｂ）成分の含有量が上記上限値以下であると、液体洗浄剤の液体安定性をより良好にしやすい。
【００５４】
＜（Ｃ）成分＞
（Ｃ）成分は、アニオン界面活性剤である。本発明の液体洗浄剤は、（Ｃ）成分を含有することで、衣類の汚れに対する洗浄力を発揮し、再汚染防止性を向上できる。
（Ｃ）成分は、高級脂肪酸又はその塩を含む、公知のアニオン界面活性剤の中から適宜選択して用いることができる。本明細書において、高級脂肪酸とは、炭素数８〜２２の脂肪酸である。
【００５５】
（Ｃ）成分としては、例えば、直鎖アルキルベンゼンスルホン酸又はその塩；α−オレフィンスルホン酸塩；直鎖又は分岐鎖のアルキル硫酸エステル塩；アルキルエーテル硫酸エステル塩又はアルケニルエーテル硫酸エステル塩；アルキル基を有するアルカンスルホン酸塩；α−スルホ脂肪酸エステル塩等が挙げられる。これらのアニオン界面活性剤における塩としては、ナトリウム、カリウム等のアルカリ金属塩、マグネシウム等のアルカリ土類金属塩、モノエタノールアミン、ジエタノールアミン等のアルカノールアミン塩等が挙げられる。
【００５６】
直鎖アルキルベンゼンスルホン酸又はその塩としては、直鎖アルキル基の炭素数が８〜１６のものが好ましく、炭素数１０〜１４のものがより好ましい。
α−オレフィンスルホン酸塩としては、炭素数１０〜２０のものが好ましい。
アルキル硫酸エステル塩としては、アルキル基の炭素数が１０〜２０のものが好ましい。
アルキルエーテル硫酸エステル塩又はアルケニルエーテル硫酸エステル塩としては、炭素数１０〜２０の直鎖または分岐鎖のアルキル基もしくはアルケニル基を有し、平均１〜１０モルのエチレンオキサイドを付加したもの（すなわち、ポリオキシエチレンアルキルエーテル硫酸エステル塩又はポリオキシエチレンアルケニルエーテル硫酸エステル塩）が好ましい。
アルカンスルホン酸塩としては、アルキル基の炭素数が１０〜２０のものが好ましく、１４〜１７のものがより好ましい。アルカンスルホン酸塩としては、前記アルキル基が２級アルキル基であるもの（すなわち２級アルカンスルホン酸塩）がさらに好ましい。
α−スルホ脂肪酸エステル塩としては、脂肪酸残基の炭素数が１０〜２０のものが好ましい。
（Ｃ）成分としては、これらの中でも、直鎖アルキルベンゼンスルホン酸又はその塩、アルカンスルホン酸塩、ポリオキシエチレンアルキルエーテル硫酸エステル塩、及びα−オレフィンスルホン酸塩から選ばれる１種以上が特に好ましい。
【００５７】
（Ｃ）成分としては、上記以外の他のアニオン界面活性剤を用いてもよい。他のアニオン界面活性剤としては、例えば、炭素数８〜２２の高級脂肪酸又はその塩、アルキルエーテルカルボン酸塩、ポリオキシアルキレンエーテルカルボン酸塩、アルキル（又はアルケニル）アミドエーテルカルボン酸塩、アシルアミノカルボン酸塩等のカルボン酸型アニオン界面活性剤；アルキルリン酸エステル塩、ポリオキシアルキレンアルキルリン酸エステル塩、ポリオキシアルキレンアルキルフェニルリン酸エステル塩、グリセリン脂肪酸エステルモノリン酸エステル塩等のリン酸エステル型アニオン性界面活性剤；等が挙げられる。
これらのアニオン界面活性剤は、市場において容易に入手することができる。
【００５８】
（Ｃ）成分は、１種を単独で用いてもよく、２種以上を併用してもよい。
（Ｃ）成分の含有量は、液体洗浄剤の総質量に対して、２．５質量％以上５０質量％以下が好ましく、５質量％以上４０質量％以下がより好ましく、１０質量％以上３０質量％以下がさらに好ましい。（Ｃ）成分の含有量が上記下限値以上であると、洗浄力を有しつつ、再汚染防止性を向上しやすい。（Ｃ）成分の含有量が上記上限値以下であると、より高い抗菌効果を発揮しやすい。
【００５９】
（Ａ）成分／（Ｃ）成分で表される質量比（以下、（Ａ）／（Ｃ）比ともいう。）は、０．００２以上２以下が好ましく、０．００３以上０．２４以下がより好ましく、０．００４以上０．０６以下がさらに好ましい。（Ａ）／（Ｃ）比が上記数値範囲内であると、液体洗浄剤の液体安定性が良好になるとともに再汚染防止性を担保しつつ、（Ｂ）成分を被洗物に吸着しやすくできる。
【００６０】
＜任意成分＞
本発明の液体洗浄剤は、本発明の効果を損なわない範囲内であれば、（Ａ）成分、（Ｂ）成分、（Ｃ）成分以外の任意成分を含有してもよい。任意成分としては、液体洗浄剤に通常用いられる成分を配合することができる。
任意成分としては、例えば、水混和性有機溶剤（（Ｄ）成分）、（Ｃ）成分を除く界面活性剤、酵素、水、可溶化剤、アルカリ剤、金属イオン補足剤（キレート剤）、酸化防止剤、防腐剤、酵素安定化剤、風合い向上剤、蛍光増白剤、再汚染防止剤、パール剤、ソイルリリース剤、着香剤、着色剤、乳濁化剤、天然物等のエキス、ｐＨ調整剤等が挙げられる。
【００６１】
（（Ｄ）成分）
（Ｄ）成分は、水混和性有機溶剤である。本発明の液体洗浄剤は、（Ｄ）成分を含有することで、液体安定性を良好にでき、液体洗浄剤の流動性を良好にしやすい。本明細書において、水混和性有機溶剤とは、２５℃のイオン交換水１Ｌに５０ｇ以上溶解する有機溶剤をいう。
【００６２】
（Ｄ）成分としては、例えば、炭素数２〜４の一価アルコール、炭素数２〜４の多価アルコール、下記一般式（Ｘ）で表されるグリコールエーテル系溶剤、下記一般式（ＸＩ）で表される溶剤等が挙げられる。
【００６３】
Ｒ１１−（ＯＲ１２）ｗＯＨ・・・（Ｘ）
（Ｘ）式中、Ｒ１１は炭素数１〜６のアルキル基又はフェニル基であり、Ｒ１２は炭素数２〜４のアルキレン基であり、ｗは平均付加モル数を表し１〜５である。
【００６４】
ＣＨ３ＯＣＲ１３（ＣＨ３）ＣＨＲ１４ＣＨＲ１５ＯＲ１６・・・（ＸＩ）
（ＸＩ）式中、Ｒ１３〜Ｒ１５は、それぞれ独立に水素原子又は炭素数１〜３のアルキル基、Ｒ１６は水素原子又はアセチル基である。
【００６５】
炭素数２〜４の一価アルコールとしては、例えば、エタノール、１−プロパノール、２−プロパノール、１−ブタノール等が挙げられる。
炭素数２〜４の多価アルコールとしては、例えば、エチレングリコール、プロピレングリコール、ブチレングリコール、グリセリン等が挙げられる。
式（Ｘ）で表されるグリコールエーテル系溶剤としては、例えば、エチレングリコールモノブチルエーテル、エチレングリコールモノヘキシルエーテル、エチレングリコールモノフェニルエーテル、プロピレングリコールモノフェニルエーテル、ジエチレングリコールモノメチルエーテル、ジエチレングリコールモノブチルエーテル等が挙げられる。
式（ＸＩ）で表される溶剤としては、例えば、３−メトキシメタノール、３−メトキシ−３−メチルブタノール、３−メトキシ−３−エチルブタノール、３−メトキシ−３−プロピルブタノール、３−メトキシ−２−メチルブタノール、３−メトキシ−２−エチルブタノール、３−メトキシ−２−プロピルブタノール、３−メトキシ−１−メチルブタノール、３−メトキシ−１−エチルブタノール、３−メトキシ−１−プロピルブタノール、３−メトキシブチルアセテート、３−メトキ−３−メチルブチルアセテート、３−メトキシ−３−エチルブチルアセテート、３−メトキシ−３−プロピルブチルアセテート、３−メトキシ−２−メチルブチルアセテート、３−メトキシ−２−エチルブチルアセテート、３−メトキシ−２−プロピルブチルアセテート、３−メトキシ−１−メチルブチルアセテート、３−メトキシ−１−エチルブチルアセテート、３−メトキシ−１−プロピルブチルアセテート等が挙げられる。
（Ｄ）成分としては、これらの中でも、流動性に優れる点、臭気の穏やかな点、原料の入手のしやすさの点から、エタノール、プロピレングリコール、ジエチレングリコールモノブチルエーテル、３−メトキシ−３−メチルブタノールが好ましい。
【００６６】
（Ｄ）成分は、１種を単独で用いてもよく、２種以上を併用してもよい。
液体洗浄剤が（Ｄ）成分を含有する場合、（Ｄ）成分の含有量は、液体洗浄剤の総質量に対して、２．５質量％以上２５質量％以下が好ましい。（Ｄ）成分の含有量が上記数値範囲内であると、液体安定性をより良好にしやすい。
【００６７】
（Ｃ）成分を除く界面活性剤（以下、他の界面活性剤ともいう。）としては、ノニオン界面活性剤、カチオン界面活性剤、両性界面活性剤等が挙げられる。
ノニオン界面活性剤としては、衣料用等の液体洗浄剤に通常用いられているノニオン界面活性剤を用いることができ、例えば、脂肪酸アルキルエステル、高級アルコール、アルキルフェノール、高級脂肪酸、高級脂肪酸アルキルエステル又は高級アミン等のアルキレンオキシド付加体；ポリオキシエチレンポリオキシプロピレンブロックコポリマー、脂肪酸アルカノールアミン、脂肪酸アルカノールアミド、多価アルコール脂肪酸エステル又はそのアルキレンオキシド付加体、多価アルコール脂肪酸エーテル、アルキルアミンオキシド、アルケニルアミンオキシド、硬化ヒマシ油のアルキレンオキシド付加体、糖脂肪酸エステル、Ｎ−アルキルポリヒドロキシ脂肪酸アミド、アルキルグルコシド等が挙げられる。これらの中でも、ノニオン界面活性剤としては、下記一般式（ＸＩＩ）で表される化合物（以下、化合物（ＸＩＩ）ともいう。）が好ましい。
【００６８】
Ｒ１７−Ｏ−［（ＥＯ）ｅ／（ＰＯ）ｆ］−Ｈ    ・・・（ＸＩＩ）
式（ＸＩＩ）中、Ｒ１７は炭素数８〜２２の炭化水素基であり、ＥＯはオキシエチレン基（エチレンオキシド）を表し、ＰＯはオキシプロピレン基（プロピレンオキシド）を表し、ｅはＥＯの平均繰り返し数を表し、２≦ｅ≦２０を満たす数であり、ｆはＰＯの平均繰り返し数を表し、０≦ｆ≦６を満たす数である。
【００６９】
式（ＸＩＩ）中、Ｒ１７の炭素数は８〜２２であり、１１〜１８が好ましく、１２〜１６がより好ましく、１２〜１４がさらに好ましい。
Ｒ１７の炭化水素基は、飽和炭化水素基でもよく、不飽和炭化水素基でもよい。中でも、液体安定性に優れる観点から、飽和炭化水素基が好ましい。
Ｒ１７の炭化水素基は、直鎖でも分岐鎖でもよい。炭化水素基としては、アルキル基、アルケニル基が好ましい。
Ｒ１７−Ｏ−における酸素原子と結合する炭素原子は、第１級炭素原子又は第２級炭素原子が好ましい。これにより、（Ｂ）成分の被洗物への吸着を阻害しにくくできる。特に、本発明の液体洗浄剤を衣類の汚れ等に直接塗布する方法で用いる場合に、高い塗布洗浄力が得られやすくなる。
Ｒ１７としては、炭素数８〜２２の分岐鎖の炭化水素基、炭素数８〜２２の直鎖の炭化水素基が好ましく、炭素数８〜２２の直鎖の炭化水素基がより好ましい。Ｒ１７が分岐鎖の炭化水素基の場合、Ｒ１７−Ｏ−における酸素原子と結合する炭素原子は第１級炭素原子が好ましい。Ｒ１７が直鎖の炭化水素基の場合、Ｒ１７−Ｏ−における酸素原子と結合する炭素原子は第２級炭素原子が好ましい。
【００７０】
式（ＸＩＩ）中、ｅはＥＯの平均繰り返し数（すなわち、エチレンオキシドの平均付加モル数）を表す２〜２０の数であり、２〜１８が好ましく、５〜１６がより好ましい。特に、Ｒ１７が第１級アルコールに由来する炭素数８〜２２の炭化水素基の場合、ｅは２〜２０であり、５〜１８が好ましく、７〜１６がより好ましく、１２〜１６がさらに好ましい。Ｒ１７が第２級アルコールに由来する炭素数８〜２２の炭化水素基の場合、ｅは２〜２０であり、２〜１５が好ましく、２〜９がより好ましく、３〜９がさらに好ましく、７〜９が特に好ましい。ｅが上記数値範囲内であると、（Ｂ）成分の被洗物への吸着を阻害しにくくできる。
式（ＸＩＩ）中、ｆはＰＯの平均繰り返し数（すなわち、プロピレンオキシドの平均付加モル数）を表す０〜６の数であり、０〜３が好ましく、０〜２がより好ましく、０〜１がさらに好ましい。ｆが上記上限値以下であると、（Ｂ）成分の被洗物への吸着を阻害しにくくできる。
【００７１】
ｆ＞０の場合、すなわち、ＰＯとＥＯが混在する場合、これらの配列順序は問わず、ランダム状に混在してもよく、ブロック状に混在してもよい。式（ＸＩＩ）中の［（ＥＯ）ｅ／（ＰＯ）ｆ］はＥＯとＰＯがランダム状又はブロック状に混在することを意味する。
ＰＯとＥＯがブロック状に混在する場合、エチレンオキシド及びプロピレンオキシドの付加方法としては、例えば、エチレンオキシドを付加した後、プロピレンオキシドを付加する方法、プロピレンオキシドを付加した後、エチレンオキシドを付加する方法、エチレンオキシドを付加した後、プロピレオキシドを付加し、さらにエチレンオキシドを付加する方法等が挙げられる。
【００７２】
エチレンオキシド又はプロピレンオキシドの付加モル数分布は特に限定されない。
付加モル数分布は、化合物（ＸＩＩ）を製造する際の反応方法によって変動しやすい。例えば、一般的な水酸化ナトリウムや水酸化カリウムなどのアルカリ触媒を用いて、エチレンオキシド又はプロピレンオキシドを疎水基原料に付加させた際には、エチレンオキシド又はプロピレンオキシドの付加モル数分布が比較的広い分布となる傾向にある。また、特公平６−１５０３８号公報に記載のＡｌ３＋、Ｇａ３＋、Ｉｎ３＋、Ｔｌ３＋、Ｃｏ３＋、Ｓｃ３＋、Ｌａ３＋、Ｍｎ２＋等の金属イオンを添加した酸化マグネシウム等の特定のアルコキシル化触媒を用いて、エチレンオキシド又はプロピレンオキシドを疎水基原料に付加させた際には、エチレンオキシド又はプロピレンオキシドの付加モル数分布が比較的狭い分布となる傾向にある。
【００７３】
化合物（ＸＩＩ）の具体例としては、炭素数１２〜１４の第２級アルコールに７モル相当のエチレンオキシドが付加したもの（例えば、（株）日本触媒製の商品名「ソフタノール７０」）、炭素数１２〜１４の第２級アルコールに９モル相当のエチレンオキシドが付加したもの（例えば、（株）日本触媒製の商品名「ソフタノール９０」）、炭素数１２〜１４の２級アルコールに、７モル相当のエチレンオキシドと２モル相当のプロピレンオキシドとが付加したもの、ペンタノールをガーベット反応に供して得られる炭素数１０のアルコールに７モル相当のエチレンオキシドが付加したもの（ＢＡＳＦ社製の商品名「Ｌｕｔｅｎｓｏｌ  ＸＬ７０」）、ペンタノールをガーベット反応に供して得られる炭素数１０のアルコールに６モル相当のエチレンオキシドが付加したもの（ＢＡＳＦ社製の商品名「Ｌｕｔｅｎｓｏｌ  ＸＡ６０」）等が挙げられる。
【００７４】
化合物（ＸＩＩ）は、１種を単独で用いてもよく、２種以上を併用してもよい。
液体洗浄剤が化合物（ＸＩＩ）を含有する場合、化合物（ＸＩＩ）の含有量は、液体洗浄剤の総質量に対して、５質量％以上３５質量％以下が好ましく、５質量％以上２５質量％以下がより好ましく、５質量％以上１５質量％以下がさらに好ましい。化合物（ＸＩＩ）の含有量が上記下限値以上であると、皮脂洗浄力がより高まる。化合物（ＸＩＩ）の含有量が上記上限値以下であると、液体洗浄剤の流動性がより高まり、液体安定性をより良好にしやすい。本明細書において、皮脂洗浄力とは、皮脂汚れに対する洗浄力のことをいう。
【００７５】
液体洗浄剤がノニオン界面活性剤を含有する場合、ノニオン界面活性剤の含有量は、液体洗浄剤の総質量に対して、５質量％以上３５質量％以下が好ましく、５質量％以上３０質量％以下がより好ましく、５質量％以上２５質量％以下がさらに好ましい。ノニオン界面活性剤の含有量が上記下限値以上であると、皮脂洗浄力がより高まる。ノニオン界面活性剤の含有量が上記上限値以下であると、液体洗浄剤の流動性がより高まり、液体安定性をより良好にしやすい。
【００７６】
カチオン界面活性剤としては、例えば、テトラメチルアンモニウム塩、テトラエチルアンモニウム塩、テトラプロピルアンモニウム塩、テトラブチルアンモニウム塩等のテトラ短鎖（炭素数１〜４のアルキル）アンモニウム塩；オクチルトリメチルアンモニウム塩、デシルトリメチルアンモニウム塩、ドデシルトリメチルアンモニウム塩、テトラデシルトリメチルアンモニウム塩、ラウリルトリメチルアンモニウム塩、セチルトリメチルアンモニウム塩、パルミチルトリメチルアンモニウム塩、ステアリルトリメチルアンモニウム塩、オクチルジメチルエチルアンモニウム塩、デシルジメチルエチルアンモニウム塩、ドデシルジメチルエチルアンモニウム塩、テトラデシルジメチルエチルアンモニウム塩、ラウリルジメチルエチルアンモニウム塩、セチルジメチルエチルアンモニウム塩、ステアリルジメチルエチルアンモニウム塩、オクチルジエチルメチルアンモニウム塩、デシルジエチルメチルアンモニウム塩、ドデシルジエチルメチルアンモニウム塩、テトラデシルジエチルメチルアンモニウム塩、セチルジエチルメチルアンモニウム塩、ステアリルジエチルメチルアンモニウム塩等の長鎖（炭素数８〜１８のアルキル）トリ短鎖（炭素数１又は２のアルキル）アンモニウム塩；ジオクチルジメチルアンモニウム塩、ジデシルジメチルアンモニウム塩、Ｎ，Ｎ−ジデシル−Ｎ−メチル−ポリ（オキシエチル）アンモニウム塩、ジドデシルジメチルアンモニウム塩、ジテトラデシルジメチルアンモニウム塩、ジセチルジメチルアンモニウム塩、ジステアリルジメチルアンモニウム塩、ジオクチルメチルエチルアンモニウム塩、ジデシルメチルエチルアンモニウム塩、ジドデシルメチルエチルアンモニウム塩、ジテトラデシルメチルエチルアンモニウム塩、ジセチルメチルエチルアンモニウム塩、ジステアリルメチルエチルアンモニウム塩等のジ長鎖（炭素数８〜１８のアルキル）ジ短鎖（炭素数１又は２のアルキル）アンモニウム塩；ステアリルジメチルヒドロキシエチルアンモニウム等の長鎖（炭素数８〜１８のアルキル）ジ短鎖（炭素数１又は２のアルキル）ヒドロキシアルキル（炭素数１又は２）アンモニウム塩；［３（トリメトキシシリル）］プロピル（ジメチル）オクタデシルアンモニウム塩等のトリアルコキシシリルアルキル基（炭素数４〜１０）を有するジ短鎖（炭素数１又は２のアルキル）長鎖（炭素数８〜１８のアルキル）アンモニウム塩；アミンナイトレート；ベンジルトリメチルアンモニウム塩；ベンザルコニウム塩；ベンゼトニウム塩等が挙げられる。
塩としては、塩素、臭素、ヨウ素等のハロゲン化物；水酸化物；炭素数１〜５のスルホン酸エステル、硫酸エステル、硝酸エステル、カルボン酸エステル等が挙げられる。
【００７７】
両性界面活性剤としては、例えば、オクタン酸アミドプロピルジメチルアミノ酢酸ベタイン、デカン酸アミドプロピルジメチルアミノ酢酸ベタイン、ラウリン酸アミドプロピルジメチルアミノ酢酸ベタイン、ミリスチン酸アミドプロピルジメチルアミノ酢酸ベタイン、ステアリン酸アミドプロピルジメチルアミノ酢酸ベタイン、オレイン酸アミドプロピルジメチルアミノ酢酸ベタイン、ヤシ油脂肪酸アミドプロピルジメチルアミノ酢酸ベタイン、パーム油脂肪酸アミドプロピルジメチルアミノ酢酸ベタイン、パーム核油脂肪酸アミドプロピルジメチルアミノ酢酸ベタイン、オクチルジメチルアミノ酢酸ベタイン、デシルジメチルアミノ酢酸ベタイン、ラウリルジメチルアミノ酢酸ベタイン、ミリスチルジメチルアミノ酢酸ベタイン、ステアリルジメチルアミノ酢酸ベタイン、オレイルジメチルアミノ酢酸ベタイン、オクタン酸アミドプロピルヒドロキシスルホベタイン、デカン酸アミドプロピルヒドロキシスルホベタイン、ラウリン酸アミドプロピルヒドロキシスルホベタイン、ミリスチン酸アミドプロピルヒドロキシスルホベタイン、ステアリン酸アミドプロピルヒドロキシスルホベタイン、オレイン酸アミドプロピルヒドロキシスルホベタイン、ヤシ油脂肪酸アミドプロピルヒドロキシスルホベタイン、パーム油脂肪酸アミドプロピルヒドロキシスルホベタイン、パーム核油脂肪酸アミドプロピルヒドロキシスルホベタイン、オクチルヒドロキシスルホベタイン、デシルヒドロキシスルホベタイン、ラウリルヒドロキシスルホベタイン、ミリスチルヒドロキシスルホベタイン、ステアリルヒドロキシスルホベタイン、オレイルヒドロキシスルホベタイン等が挙げられる。
【００７８】
液体洗浄剤が他の界面活性剤を含有する場合、他の界面活性剤の含有量は、液体洗浄剤の総質量に対して、５質量％以上４０質量％以下が好ましく、５質量％以上３５質量％以下がより好ましく、５質量％以上３０質量％以下がさらに好ましい。
【００７９】
界面活性剤の総質量は、液体洗浄剤の総質量に対して、５質量％以上７０質量％以下が好ましく、１０質量％以上６０質量％以下がより好ましい。界面活性剤の総質量が上記下限値以上であると、液体洗浄剤の洗浄力を高めやすい。界面活性剤の総質量が上記上限値以下であると、液体洗浄剤の液体安定性をより良好にしやすい。
界面活性剤の総質量に対する（Ｃ）成分の含有量は、１５質量％以上７５質量％以下が好ましく、２５質量％以上６５質量％以下がより好ましい。界面活性剤の総質量に対する（Ｃ）成分の含有量が上記下限値以上であると、液体洗浄剤の洗浄力を高めやすい。界面活性剤の総質量に対する（Ｃ）成分の含有量が上記上限値以下であると、より高い抗菌効果を発揮しやすい。
【００８０】
酵素としては、例えば、プロテアーゼ、アミラーゼ、リパーゼ、セルラーゼ、マンナナーゼ等が挙げられる。なお、本明細書において「酵素」とは酵素製剤を意味する。
プロテアーゼとしては、プロテアーゼ製剤としてノボザイムズ社から入手できる商品名Ｓａｖｉｎａｓｅ１６Ｌ、Ｓａｖｉｎａｓｅ  Ｕｌｔｒａ  １６Ｌ、Ｓａｖｉｎａｓｅ  Ｕｌｔｒａ  １６ＸＬ，Ｅｖｅｒｌａｓｅ  １６Ｌ  ＴｙｐｅＥＸ、Ｅｖｅｒｌａｓｅ  Ｕｌｔｒａ  １６Ｌ、Ｅｓｐｅｒａｓｅ  ８Ｌ、Ａｌｃａｌａｓｅ  ２．５Ｌ、Ａｌｃａｌａｓｅ  Ｕｌｔｒａ  ２．５Ｌ、Ｌｉｑｕａｎａｓｅ  ２．５Ｌ、Ｌｉｑｕａｎａｓｅ  Ｕｌｔｒａ  ２．５Ｌ、Ｌｉｑｕａｎａｓｅ  Ｕｌｔｒａ  ２．５ＸＬ、Ｃｏｒｏｎａｓｅ  ４８Ｌ、ジェネンコア社から入手できる商品名Ｐｕｒａｆｅｃｔ  Ｌ、Ｐｕｒａｆｅｃｔ  ＯＸ、Ｐｒｏｐｅｒａｓｅ  Ｌ等が挙げられる。
アミラーゼとしては、アミラーゼ製剤としてノボザイムズ社から入手できる商品名Ｔｅｒｍａｍｙｌ  ３００Ｌ、Ｔｅｒｍａｍｙｌ  Ｕｌｔｒａ  ３００Ｌ、Ｄｕｒａｍｙｌ  ３００Ｌ、Ｓｔａｉｎｚｙｍｅ  １２Ｌ、Ｓｔａｉｎｚｙｍｅ  Ｐｌｕｓ  １２Ｌ、ジェネンコア社から入手できる商品名Ｍａｘａｍｙｌ、天野エンザイム（株）社から入手できる商品名プルラナーゼアマノ、生化学工業（株）社から入手できる商品名ＤＢ−２５０等が挙げられる。
リパーゼとしては、リパーゼ製剤としてノボザイムズ社から入手できる商品名Ｌｉｐｅｘ  １００Ｌ、Ｌｉｐｏｌａｓｅ  １００Ｌ等が挙げられる。
セルラーゼとして、セルラーゼ製剤としてノボザイムズ社から入手できる商品名Ｅｎｄｏｌａｓｅ  ５０００Ｌ、Ｃｅｌｌｕｚｙｍｅ  ０．４Ｌ、Ｃａｒｚｙｍｅ  ４５００Ｌ等が挙げられる。
マンナナーゼとして、マンナナーゼ製剤としてノボザイムズ社から入手できる商品名Ｍａｎｎａｗａｙ  ４Ｌ等が挙げられる。
【００８１】
酵素は、１種を単独で用いてもよく、２種以上を併用してもよい。
液体洗浄剤が酵素を含有する場合、酵素の含有量は、液体洗浄剤の総質量に対して、０．０１質量％以上１．０質量％以下が好ましく、０．０３質量％以上０．９質量％以下がより好ましく、０．０５質量％以上０．８質量％以下がさらに好ましい。酵素の含有量が上記下限値以上であると、液体洗浄剤の洗浄力を高めやすい。酵素の含有量が上記上限値以下であると、液体安定性をより良好にしやすい。
【００８２】
本発明の液体洗浄剤は、水を含むことが好ましい。水の含有量は、液体洗浄剤の総質量に対し、１０質量％以上９５質量％以下が好ましく、２０質量％以上９０質量％以下がより好ましく、４０質量％以上９０質量％以下がさらに好ましい。水の含有量が上記下限値以上であると、製造時のハンドリングのしやすさ及び使用する際の水への溶解性がより優れる。水の含有量が上記上限値以下であると、液体洗浄剤の洗浄力を高めやすい。
【００８３】
可溶化剤としては、芳香族スルホン酸又はその塩が挙げられる。芳香族スルホン酸又はその塩としては、例えば、トルエンスルホン酸、キシレンスルホン酸、クメンスルホン酸、置換もしくは非置換ナフタレンスルホン酸、トルエンスルホン酸塩、キシレンスルホン酸塩、クメンスルホン酸塩、置換もしくは非置換ナフタレンスルホン酸塩が挙げられる。
塩としては、ナトリウム塩、カリウム塩、カルシウム塩、マグネシウム塩、アンモニウム塩、又はアルカノールアミン塩等が挙げられる。
可溶化剤は、１種を単独で用いてもよく、２種以上を併用してもよい。
【００８４】
アルカリ剤としては、例えば、モノエタノールアミン、ジエタノールアミン、トリエタノールアミン等が挙げられる。
アルカリ剤は、１種を単独で用いてもよく、２種以上を併用してもよい。
液体洗浄剤がアルカリ剤を含有する場合、アルカリ剤の含有量は、液体洗浄剤の総質量に対して、０．５質量％以上５質量％以下が好ましい。
【００８５】
金属イオン捕捉剤（キレート剤）としては、例えば、マロン酸、コハク酸、リンゴ酸、ジグリコール酸、酒石酸、クエン酸、ＨＥＤＰ（ヒドロキシエタジスルホン酸）、又はこれらの塩、ＭＧＤＡ（メチルグリシンジ酢酸３ナトリウム）等が挙げられる。
液体洗浄剤がキレート剤を含有する場合、キレート剤の配合量は、液体洗浄剤組成物の総質量に対して、０．０１質量％以上２０質量％以下が好ましい。
【００８６】
酸化防止剤としては、特に限定はされないが、洗浄力と液体安定性が良好であることから、フェノール系酸化防止剤が好ましく、ジブチルヒドロキシトルエン、ブチルヒドロキシアニソール等のモノフェノール系酸化防止剤、２，２’−メチレンビス（４−メチル−６−ｔ−ブチルフェノール等のビスフェノール系酸化防止剤、ｄｌ−α−トコフェロール等の高分子型フェノール系酸化防止剤がより好ましく、モノフェノール系酸化防止剤、高分子型酸化防止剤がさらに好ましい。
モノフェノール系酸化防止剤の中では、ジブチルヒドロキシトルエンが特に好ましい。高分子型フェノール系酸化防止剤の中では、ｄｌ−α−トコフェロールが特に好ましい。
酸化防止剤は、１種を単独で用いてもよく、２種以上を併用してもよい。
液体洗浄剤が酸化防止剤を含有する場合、酸化防止剤の含有量は、液体洗浄剤組成物の総質量に対して、０．０１質量％以上２質量％以下が好ましい。
【００８７】
防腐剤としては、例えば、ダウ社製の商品名「ケーソンＣＧ」、ロンザ社製の商品名「ＡＮ−１０００」、ソー社製の商品名「ＭＢＳ」、クラリアント社製の商品名「ＮＩＰＡＣＩＤＥ  ＢＩＴ  ２０」等が挙げられる。
液体洗浄剤が防腐剤を含有する場合、防腐剤の含有量は、液体洗浄剤の総質量に対して、０．００１質量％以上１質量％以下が好ましい。
【００８８】
酵素安定化剤としては、例えば、ホウ酸、ホウ砂、ギ酸又はその塩、安息香酸、乳酸又はその塩、塩化カルシウム、硫酸カルシウム等のカルシウム塩類等が挙げられる。
酵素安定化剤の含有量は、液体洗浄剤の総質量に対して、０質量％以上２質量％以下が好ましい。
【００８９】
風合い向上剤としては、例えば、ジメチルシリコーン、ポリエーテル変性シリコーン、アミノ変性シリコーン等のシリコーンが挙げられる。
風合い向上剤の含有量は、液体洗浄剤の総質量に対して、０質量％以上５質量％以下が好ましい。
【００９０】
蛍光増白剤は、白色衣類の白度向上を目的として添加される薬剤である。蛍光増白剤としては、例えば、ジスチリルビフェニル型の蛍光増白剤が挙げられる。
蛍光増白剤の含有量は、液体洗浄剤の総質量に対して、０質量％以上１質量％以下が好ましい。
【００９１】
再汚染防止剤としては、例えば、ポリビニルピロリドン、カルボキシメチルセルロース等が挙げられる。
再汚染防止剤の含有量は、液体洗浄剤の総質量に対して、０質量％以上２質量％以下が好ましい。
【００９２】
パール剤としては、例えば、クラリアント社製の商品名「ＳＲＮ−１００」等が挙げられる。ソイルリリース剤としては、例えば、ＢＡＳＦ社製の商品名「ＨＰ２０」等が挙げられる。
【００９３】
液体洗浄剤は、商品の付加価値向上を目的として、着香剤、着色剤、乳濁化剤、天然物等のエキス等を含有してもよい。
着香剤としては、例えば、特開２００２−１４６３９９号公報の表１１〜１８に記載の香料組成物Ａ、Ｂ、Ｃ、Ｄ等が挙げられる。
液体洗浄剤が着香剤を含有する場合、着香剤の含有量は、液体洗浄剤の総質量に対して、０．１質量％以上１質量％以下が好ましい。
【００９４】
着色剤としては、いずれも商品名として、例えば、アシッドレッド１３８、Ｐｏｌａｒ  Ｒｅｄ  ＲＬＳ、アシッドイエロー２０３、アシッドブルー９、青色１号、青色２０５号、緑色３号、ターコイズＰ−ＧＲ等の汎用の色素や顔料が挙げられる。
液体洗浄剤が着色剤を含有する場合、着色剤の含有量は、液体洗浄剤の総質量に対して、０．００００５質量％以上０．００５質量％以下が好ましい。
【００９５】
乳濁化剤としては、例えば、ポリスチレンエマルション、ポリ酢酸ビニルエマルション等が挙げられ、通常、固形分３０〜５０質量％のエマルションが好適に用いられる。市販品としては、ポリスチレンエマルション（サイデン化学（株）製、商品名「サイビノールＲＰＸ−１９６  ＰＥ−３」、固形分４０質量％）等が挙げられる。
液体洗浄剤が乳濁化剤を含有する場合、乳濁化剤の含有量は、液体洗浄剤の総質量に対し、０．０１質量％以上０．５質量％以下が好ましい。
【００９６】
天然物等のエキスとしては、例えば、イヌエンジュ、ウワウルシ、エキナセア、コガネバナ、キハダ、オウレン、オールスパイス、オレガノ、エンジュ、カミツレ、スイカズラ、クララ、ケイガイ、ケイ、ゲッケイジュ、ホオノキ、ゴボウ、コンフリー、ジャショウ、ワレモコウ、シャクヤク、ショウガ、セイタカアワダチソウ、セイヨウニワトコ、セージ、ヤドリギ、ホソバオケラ、タイム、ハナスゲ、チョウジ、ウンシュウミカン、ティーツリー、バーベリー、ドクダミ、ナンテン、ニュウコウ、ヨロイグサ、シロガヤ、ボウフウ、オランダヒユ、ホップ、ホンシタン、マウンテングレープ、ムラサキタガヤサン、セイヨウヤマハッカ、ヒオウギ、ヤマジソ、ユーカリ、ラベンダー、ローズ、ローズマリー、バラン、スギ、ギレアドバルサムノキ、ハクセン、ホウキギ、ミチヤナギ、ジンギョウ、フウ、ツリガネニンジン、ヤマビシ、ヤブガラシ、カンゾウ、セイヨウオトギリソウ等の植物エキスが挙げられる。
天然物等のエキスの含有量は、液体洗浄剤の総質量に対して、０質量％以上０．５質量％以下が好ましい。
【００９７】
ｐＨ調整剤としては、例えば、硫酸、塩酸、リン酸、水酸化ナトリウム、水酸化カリウム、モノエタノールアミン、ジエタノールアミン、トリエタノールアミン等のアルカノールアミン、アンモニア等が挙げられる。これらの中でも、液体洗浄剤の液体安定性をより良好にしやすくする観点から、硫酸、水酸化ナトリウム、水酸化カリウム、アルカノールアミンが好ましく、硫酸、水酸化ナトリウム、アルカノールアミンがより好ましい。
ｐＨ調整剤は、１種を単独で用いてもよく、２種以上を併用してもよい。
【００９８】
なお、本発明の液体洗浄剤を構成する成分の合計量は１００質量％を超えない。
【００９９】
［液体洗浄剤の製造方法］
本発明の液体洗浄剤は、従来公知の方法により、（Ａ）成分、（Ｂ）成分、（Ｃ）成分と、必要に応じて任意成分と、を混合することにより製造される。
本発明の液体洗浄剤の２５℃におけるｐＨは、４以上９以下が好ましく、６以上９以下がより好ましい。ｐＨが上記数値範囲内であると、液体洗浄剤の液体安定性が良好に維持されやすくなる。
ｐＨは、ｐＨ調整剤を適量添加することにより調整できる。
本明細書におけるｐＨは、測定対象を２５℃とし、ｐＨメーター（製品名：ＨＭ−３０Ｇ、東亜ディーケーケー（株）製）により測定される値を意味する。
【０１００】
液体洗浄剤の２５℃における粘度は、１０ｍＰａ・ｓ以上５００ｍＰａ・ｓ以下が好ましく、４０ｍＰａ・ｓ以上３００ｍＰａ・ｓ以下がより好ましい。粘度が上記数値範囲内であると、液体洗浄剤を計量キャップ等で計り取りやすくなる。また、塗布洗浄に用いる際に、液体洗浄剤を繊維製品等に塗布し易くなる。
【０１０１】
［液体洗浄剤の使用方法］
液体洗浄剤の使用方法は、例えば、液体洗浄剤を洗濯時に被洗物と一緒に水に投入する方法、液体洗浄剤を予め水に溶解して調製される洗浄剤水溶液に被洗物を浸漬する方法等が挙げられる。また、液体洗浄剤を被洗物に直接塗布して、例えば、３分〜２４時間放置し、その後、通常の洗濯を行ってもよい。
前記洗浄剤水溶液中の液体洗浄剤の含有量は、特に限定されない。水に対する液体洗浄剤の添加量は、例えば、水１０Ｌ当たり、２〜３０ｍＬが好ましい。
【実施例】
【０１０２】
以下に実施例を用いて本発明をさらに詳しく説明するが、本発明はこれら実施例に限定されるものではない。
本実施例において使用した原料は、下記の［使用原料］に示す通りである。
【０１０３】
［使用原料］
＜（Ａ）成分＞
Ａ−１：ジメチルジアリルアンモニウム・アクリルアミドコポリマー、Ｌｕｂｒｉｚｏｌ社製、商品名「Ｎｏｖｅｒｉｔｅ３００」。
Ａ−２：ジメチルジアリルアンモニウム・アクリルアミドコポリマー、Ｌｕｂｒｉｚｏｌ社製、商品名「Ｎｏｖｅｒｉｔｅ３０２」。
Ａ−３：ジメチルジアリルアンモニウムポリマー、Ｌｕｂｒｉｚｏｌ社製、商品名「マーコート１００」。
Ａ−４：ジメチルジアリルアンモニウム・アクリル酸コポリマー、Ｌｕｂｒｉｚｏｌ社製、商品名「マーコート２８０」。
Ａ−５：ジメチルジアリルアンモニウム・アクリルアミド・アクリル酸コポリマー、Ｌｕｂｒｉｚｏｌ社製、商品名「マーコート３３３０ＰＲ」。
【０１０４】
＜（Ａ）’成分（（Ａ）成分の比較品）＞
Ａ’−１：ポリエチレンイミンのエチレンオキシド付加体、ＢＡＳＦ社製、商品名「Ｓｏｋａｌａｎ  ＨＰ２０」。
Ａ’−２：塩化ジデシルジメチルアンモニウム、ライオン・スペシャリティ・ケミカルズ（株）製、商品名「アーカード２１０」。
Ａ’−３：塩化ドデシルトリメチルアンモニウム、ライオン・スペシャリティ・ケミカルズ（株）製、商品名「リポガード１２−３７Ｗ」。
【０１０５】
＜（Ｂ）成分＞
Ｂ−１：４，４’−ジクロロ−２−ヒドロキシジフェニルエーテル（慣用名：ダイクロサン）、ＢＡＳＦ社製、商品名「Ｔｉｎｏｓａｎ  ＨＰ１００」。
Ｂ−２：ｏ−ベンジル−ｐ−クロロフェノール（慣用名：クロロフェン）、クラリアントジャパン（株）製、商品名「クロロフェン」。
Ｂ−３：５−クロロ−２−（２，４−ジクロロフェノキシ）フェノール（慣用名：トリクロサン）、ＢＡＳＦ社製、商品名「イルガサンＤＰ−３００」。
【０１０６】
＜（Ｃ）成分＞
Ｃ−１：直鎖アルキルベンゼンスルホン酸（アルキル基の炭素数１０〜１４、平均分子量３２２）、ライオン・スペシャリティ・ケミカルズ（株）製、商品名「ライポンＬＨ−２００」。
Ｃ−２：ポリオキシエチレンアルキルエーテル硫酸ナトリウム（アルキル基の炭素数１２〜１３、ＥＯの平均付加モル数２、原料アルコールの商品名「ネオドール２３」（シェル社製））。
Ｃ−３：ポリオキシエチレンプロピレンアルキルエーテル硫酸ナトリウム（天然アルコールの商品名「ＣＯ−１２７０」（Ｐ＆Ｇ社製））。
Ｃ−４：ヤシ脂肪酸、日本油脂（株）製、商品名「ヤシ脂肪酸」。
【０１０７】
＜任意成分＞
（（Ｄ）成分）
Ｄ−１：３−メトキシ−３−メチル−１−ブタノール、（株）クラレ製、商品名「ソルフィット」。
Ｄ−２：ブチルカルビトール、東京化成工業（株）製、商品名「ブチルカルビトール」。
Ｄ−３：エタノール、日本アルコール販売（株）製、商品名「特定アルコール９５度合成」。
Ｄ−４：プロピレングリコール、ダウ・ケミカル（株）製、商品名「プロピレングリコール」。
【０１０８】
（ノニオン界面活性剤）
ノニオン界面活性剤１：ポリオキシエチレンアルキルエーテル（１５ＥＯ）、炭素数１２及び１４の天然アルコール（第１級アルコール）に１５モル相当のエチレンオキシドを付加したもの。
ノニオン界面活性剤２：ポリオキシエチレンアルキルエーテル（７ＥＯ）、炭素数１２及び１４の天然アルコール（第１級アルコール）に７モル相当のエチレンオキシドを付加したもの。
ノニオン界面活性剤３：ポリオキシエチレン脂肪酸メチルエステル（ＭＥＥ）、脂肪酸の炭素数１２〜１４、ＥＯの平均付加モル数１５。
ノニオン界面活性剤４：ＥＯ／ＰＯノニオン、炭素数１２〜１４の第２級アルコールに、８モル相当のエチレンオキシド、２モル相当のプロピレンオキシド、８モル相当のエチレンオキシドを、この順にブロック付加したもの。
【０１０９】
（その他の任意成分）
酵素１：プロテアーゼ、ノボザイムズ社製、商品名「コロナーゼ４８Ｌ」。
酵素２：マンナナーゼ、ノボザイムズ社製、商品名「マンナウェイ４．０」。
酵素３：セルラーゼ、ノボザイムズ社製、商品名「セルクリーン」。
酵素４：アミラーゼ、ノボザイムズ社製、商品名「アンプリファイプライム」。
安定化剤：ポリオキシプロピレングリセリルエーテル（ＰＰＧ）、三井化学（株）製、商品名「アクトコールＴ４０００」。
キレート剤：クエン酸三ナトリウム二水和物、扶桑化学工業（株）製、商品名「精製クエン酸ナトリウム」。
酵素安定化剤１：安息香酸ナトリウム、（株）伏見製薬製、商品名「安息香酸ナトリウム」。
酵素安定化剤２：乳酸ナトリウム、関東化学（株）製、商品名「乳酸ナトリウム」。
酸化防止剤：ジブチルヒドロキシトルエン、住友化学（株）製、商品名「ＳＵＭＩＬＺＥＲ  ＢＨＴ−Ｒ」。
着香剤：香料、特開２００２−１４６３９９号公報の表１１〜１８に記載の香料組成物Ａ。
着色剤：色素、商品名「緑３号」、癸巳化成株式会社製。
ｐＨ調整剤：硫酸、和光純薬工業（株）製、商品名「硫酸」；又は、水酸化ナトリウム、関東化学（株）製、商品名「４８％水酸化ナトリウム溶液」；又は、モノエタノールアミン（ＭＥＡ）、（株）日本触媒製、商品名「モノエタノールアミン」。
水：精製水、関東化学（株）製、商品名「精製水」。
【０１１０】
［実施例１〜１５、比較例１〜４］
表１〜３の組成に従い、（Ａ）成分〜（Ｃ）成分、及び任意成分を水に加えて混合し、混合液を得た。前記混合液の温度は２５℃であり、混合液のｐＨが７となるようにｐＨ調整剤を適量添加して液体洗浄剤を得た。
得られた液体洗浄剤について下記評価法により、液体安定性、被洗物への吸着のしやすさ（吸着性）、抗菌性を評価した。結果を表１〜３に示す。
なお、表中の各成分の配合量の単位は「質量％」であり、純分換算量を示す。「バランス」は、各例の組成物に含まれる全配合成分の合計の配合量（質量％）が１００質量％となるように水が配合されていることを意味する。
【０１１１】
＜液体安定性の評価＞
透明のガラス瓶（広口規格びん、ＰＳ−ＮＯ．１１）に、各例の液体洗浄剤１００ｍＬを充填し、蓋を閉めて密封した。この状態で５℃の恒温槽内に７日間静置して保存した。
かかる保存の後、液の外観を目視で観察し、下記評価基準に従って、液体洗浄剤の液体安定性を評価した。○以上を合格とした。
《評価基準》
◎：ガラス瓶の底部に沈殿物質が認められず、液の流動性がある。
○：ガラス瓶の底部に沈殿物質が認められるが、ガラス瓶を軽く振ると、その沈殿物質は消失（溶解）する。
×：ガラス瓶の底部に沈殿物質が認められ、ガラス瓶を軽く振ってもその沈殿物質は消失しない、又は、液体洗浄剤の製造直後にゲル化もしくは白濁を生じる。
【０１１２】
＜吸着性の評価＞
Ｔｅｒｇ−Ｏ−Ｔｏｍｅｔｅｒ（Ｕ．Ｓ．Ｔｅｓｔｉｎｇ社製）に被洗物として綿メリヤス（谷頭商店）と各例の液体洗浄剤と水とを浴比２０倍になるように投入した。液体洗浄剤の投入量は、洗剤の標準使用量（１０ｍＬ）とした。前記綿メリヤスを１０分間洗浄し、洗浄後のバルクの水を抽出した。バルクの水に残存する（Ｂ）成分（抗菌剤）の量を以下の条件の高速液体クロマトグラフィー（ＨＰＬＣ）にて定量した。
（ＨＰＬＣの分析条件）
分析機器：ＨＰＬＣ（Ｃｈｒｏｍａｓｔｅｒ  （株）日立製作所製）。
カラム：Ｉｎｅｒｔｓｉｌ  ＯＤＳ−３（４．６×２５０ｍｍ、５μｍ）。
移動相：メタノール／水＝８：２。
流速：０．７ｍＬ／ｍｉｎ。
検出器：ＵＶ（２７８ｎｍ）。
温度：４０℃。
【０１１３】
洗浄前に投入した液体洗浄剤の（Ｂ）成分の含有量（（Ｂ）成分の初期含有量）と、ＨＰＬＣで定量した（Ｂ）成分の含有量とから、綿メリヤスへの（Ｂ）成分の吸着量を算出し、下記式に従って、綿メリヤスへの（Ｂ）成分の吸着率（以下、単に吸着率ともいう。）を算出した。
吸着率（％）＝（（（Ｂ）成分の初期含有量（ｇ））−（ＨＰＬＣで定量した（Ｂ）成分の含有量（ｇ）））／（Ｂ）成分の初期含有量（ｇ）×１００
得られた吸着率の値を基に、下記評価基準に従って、液体洗浄剤の綿布への吸着性を評価した。○以上を合格とした。
《評価基準》
◎：吸着率４０％以上。
○：吸着率３０％以上４０％未満。
△：吸着率２０％以上３０％未満。
×：吸着率２０％未満。
【０１１４】
＜抗菌性の評価＞
実際の家庭にて1年以上使用実績のある綿タオルを回収し、各例の液体洗浄剤を用いて、洗濯機（ＪＷ−Ｚ２３Ａ型、ハイアール社製）の通常コースで洗濯処理（水温約２０℃、硬度約３゜ＤＨの水道水を注水、浴比２０倍）を行った。その際、液体洗浄剤の洗濯機への投入量を１０ｍＬ／水道水３０Ｌとして洗濯処理を行った。なお、新品の綿１００％の肌シャツ（Ｂ．Ｖ．Ｄ（登録商標））を、全自動洗濯機（パナソニック（株）製、ＮＡ−Ｆ７０ＳＤ１）のおまかせコースで５回洗濯処理（水温約２０℃、硬度約３゜ＤＨの水道水を注水）したものを、浴比合わせの衣料として用いた。
前記綿タオルの洗濯処理が終了した後、室温（約３０℃）、相対湿度９９％ＲＨの室内に干して６時間乾燥（部屋干し）を行った。その後、６名の専門パネラーがそれぞれ６時間乾燥（部屋干し）後の綿タオルの臭いを嗅いで官能評価を行った。前記官能評価は、下記の評価基準に従って臭気強度表示を点数化することにより行った。各例の液体洗浄剤について６名の専門パネラーの平均点を算出し、この平均点を指標として、抗菌効果を発揮できているか（抗菌性）について評価した。表中の数値は、平均点を四捨五入して整数にした値である。平均点が２点以下のものを合格とした。
《官能評価の評価基準（臭気強度表示）》
０点：異臭が全くしない。
１点：異臭がやっと感知できる程度に感じられる。
２点：異臭が弱く感じられる。
３点：異臭がやや強く感じられる。
４点：異臭が強く感じられる。
５点：異臭が強烈に感じられる。
【０１１５】
【表１】
2020041074.tif 000011
【０１１６】
【表２】
2020041074.tif 000012
【０１１７】
【表３】
2020041074.tif 000013
【０１１８】
表１〜３に示すように、本発明を適用した実施例１〜１５は、吸着性が「◎」又は「○」で、被洗物に吸着しやすいことが分かった。加えて、本発明を適用した実施例１〜１５は、臭気強度表示の平均点が２点以下で、抗菌効果を発揮できていることが分かった。さらに、本発明を適用した実施例１〜１５は、液体安定性が「◎」又は「○」で、液体安定性に優れることが分かった。
一方、（Ｃ）成分を含有しない比較例１は、吸着性が「△」で、臭気強度表示の平均点が４点だった。
（Ａ）成分の代わりに（Ａ）’成分を用いた比較例２は、吸着性が「△」で、臭気強度表示の平均点が３点だった。
（Ａ）成分の代わりに（Ａ）’成分を用いた比較例３は、吸着性が「×」で、臭気強度表示の平均点が４点だった。
（Ａ）成分の代わりに（Ａ）’成分を用いた比較例４は、吸着性が「△」で、臭気強度表示の平均点が３点だった。
【０１１９】
本発明の衣料用液体洗浄剤組成物によれば、被洗物に吸着しやすく、より高い抗菌効果を発揮できることが分かった。